(57)【要約】【課題】ミニチュア着物の絵柄全体を見せることができるだけでなく、触ることもでき、風が吹くと、ミニチュア着物の裾や袖が自然となびくような、新たな着物展示物を提供することを課題とする。【解決手段】展示用パネルと、ミニチュア着物の左右の袖に通してその着物を吊り下げる竿と、その竿を前記展示用パネルに取り付ける上部取付具と、ミニチュア着物の裾の両端を前記展示用パネルに取り付ける下部取付具とを備える。【選択図】図１
0003180540.tif 000002
【実用新案登録請求の範囲】
【請求項１】
ミニチュア着物を広げた状態で展示する展示用パネルと、前記ミニチュア着物の左右の袖に通してその着物を吊り下げる竿と、その竿の重心位置を前記展示用パネルから若干浮かせて前記展示用パネルに着脱自在に取り付ける上部取付具と、前記ミニチュア着物の上衽、前身頃、後身頃、下衽を広げた状態で、それらの上衽と下衽の裾を前記展示用パネルに着脱自在に取り付ける下部取付具とを備えたことを特徴とする着物展示物。
【考案の詳細な説明】
【技術分野】
【０００１】  本考案は、ミニチュア着物を絵画のようにパネルに展示して鑑賞する着物展示物に関する。
【背景技術】
【０００２】  これまでのミニチュア着物は、普通の着物と同様に、衣桁に掛けて展示していた。しかし、それでは、壁に掛けて飾ることができないので、鑑賞用としては、面白さに欠ける問題があった。この問題を解決するヒントとしては、下記特許文献１の公報が見つかっている。この特許文献１に開示されたものは、人が着る着物を収納して展示する展示用額縁装置に関するもので、額縁のある金属製パネルの上に、折り畳んだ着物を磁石で固定するものである。そして、額縁の表側には、ガラス等からなる透明体が設けられている。
【先行技術文献】
【特許文献】
【０００３】
【特許文献１】特開２００２−１７５３０号公報
【考案の概要】
【考案が解決しようとする課題】
【０００４】  しかし、特許文献１の展示方法では、着物の絵柄全体が表に出ないという致命的な欠点がある。すなわち、着物の絵柄は、着物を着たときに、前側の上衽（うえおくみ）から前身頃へ、さらには、後側の後身頃へと描かれるので、特許文献１に開示された展示方法では、後身頃の絵柄が隠れてしまい、しかも、上衽がパネルに固定されていないので、それが自重で垂れ下がって、前身頃の上に重なり、それによってそれらに描かれた絵柄の一部が隠れたり、見えなかったりするという致命的な欠点があった。【０００５】  本考案は、こうした問題を解決したもので、ミニチュア着物の絵柄全体を見せることができるだけでなく、触ることもでき、風が吹くと、ミニチュア着物の裾や袖が自然となびくような、新たな着物展示物を提供することを課題とする。
【課題を解決するための手段】
【０００６】  本考案に係る着物展示物は、ミニチュア着物を広げた状態で展示する展示用パネルと、前記ミニチュア着物の左右の袖に通してその着物を吊り下げる竿と、その竿の重心位置を前記展示用パネルから若干浮かせて前記展示用パネルに着脱自在に取り付ける上部取付具と、前記ミニチュア着物の上衽、前身頃、後身頃、下衽を広げた状態で、それらの上衽と下衽の裾を前記展示用パネルに着脱自在に取り付ける下部取付具とを備えたことを特徴とする。【０００７】  上部取付具は、竿に取り付けられた磁石と、展示用パネルの裏面に取り付けられた鉄板と磁石とで構成され、下部取付具は、上衽と下衽のそれぞれの裾に縫い付けられた磁石と、展示用パネルの裏面に取り付けられた鉄板と磁石とで構成され、これらの表側の磁石と、裏側の鉄板と磁石とを展示用パネルを挟んで対向させることにより、両磁石の吸引作用により、ミニチュア着物が展示用パネルの表側に吸着固定される。【０００８】  前記取付具は、こうした構成に限定されるものではなく、例えば、面ファスナーや待ち針等を使用することもできる。
このような着脱自在の取付具を使用することにより、ミニチュア着物の取付位置をずらしたり、傾けてみたり、さらには、季節に応じた絵柄の着物と取り替えてみたりすることができる。
【考案の効果】
【０００９】  本考案によれば、ミニチュア着物の絵柄全体を見せることができるだけでなく、壁に掛けて触らせることができ、風が吹くと、ミニチュア着物の裾や袖が自然となびくような着物展示物とすることができる。また、展示したミニチュア着物を簡単に取り替えることができるので、季節に合った絵柄の着物と取り替えて、絵画のように楽しむことができる。
【図面の簡単な説明】
【００１０】
【図１】本考案の一実施形態に係る着物展示物の平面図
【図２】図１のＡ−Ａ矢視断面図
【図３】本考案の他の実施形態に係る着物展示物の平面図
【考案を実施するための形態】
【００１１】  以下、図面を参照しながら、本考案の一実施形態に係る着物展示物について説明する。
【実施例】
【００１２】  図１、図２において、着物展示物１は、展示用パネル２と、ミニチュア着物３と、そのミニチュア着物３を吊り下げる竿４と、その竿４を展示用パネル１に着脱自在に固定する上部取付具５と、ミニチュア着物３の上衽３１と、下衽３６を広げた状態で展示用パネル１に着脱自在に固定する下部取付具６とを備えている。【００１３】  展示用パネル１は、ベニヤ板等の薄い矩形の板材１０の４辺に桟１１を取り付けて補強したもので、その矩形の板材１０の表面には、ミニチュア着物３を際立たせるための染色された布や和紙等が張り付けられている。また、展示用パネル２の裏面中央上部には、ミニチュア着物３を吊り下げる竿４を展示用パネル１の表側に吸着させる鉄板５０と、その鉄板５０に密着させた磁石５１とが取り付けられている。また、展示用パネル１の裏面下部には、ミニチュア着物３の裾の両端を展示用パネル１の表側に吸着させる鉄板６０と、その鉄板６０に密着させた磁石６１とがミニチュア着物３の広げられた裾幅に相当する長さだけ離して取り付けられている。【００１４】  ミニチュア着物３は、本物の着物の縮小版として、染色や刺繍等が施された鑑賞用の着物であって、絵柄は、主に上衽３１から上前身頃３２、左後身頃３３、右後身頃３４にかけて描かれるため、展示に際しては、それらに描かれた絵柄が表側に出るように、それらを広げた状態で展示する。なお、符号３５は、下前身頃である。【００１５】  ミニチュア着物３を吊り下げる竿４は、ミニチュア着物３の両方の裄（ゆき）より少し短めの丸棒で形成され、その中央の重心位置に磁石５２がネジ止めされている。この竿４をミニチュア着物３の両袖３７，３８に通した後、この磁石５２を襟ぐり３９に位置させた後、この磁石５２を展示用パネル２の表側から、裏面の前記鉄板５０に吸着させて、ミニチュア着物３を展示用パネル２から吊り下げる。その際、磁石５２の厚みによって、ミニチュア着物３は、展示用パネル２から少し浮き上がった状態で固定される。これにより、より立体的な展示とすることができる。また、この竿４は、ミニチュア着物３に膨らみを持たせるときは、太めのものが用いられる。【００１６】  上部取付具５は、竿４の重心位置にネジ止めされた磁石５２と、展示用パネル２の裏面上部に取り付けられた鉄板５０と、磁石５１とで構成され、これらの両磁石５１、５２と鉄板５０との吸引作用により、竿４を展示用パネル２の表側に着脱自在に吸着固定する。なお、鉄板５０は、ミニチュア着物３の展示位置がずれても、両磁石５１、５２の吸引作用が及ぶように、少し広めのものを使用している。【００１７】  下部取付具６は、上衽３１と下衽３６に縫いこまれた小粒の強力磁石６２と、展示用パネル２の裏面下部に取り付けられた鉄板６０と、磁石６１とで構成され、これらの両磁石６１、６２と鉄板６０との吸引作用により、ミニチュア着物３の裾を展示用パネル２の表側に着脱自在に吸着固定する。その際、展示用パネル２の裏面下部に取り付けられた磁石６１は、ミニチュア着物３の裾を広げた状態の両衽３１、３６と対応する位置にそれぞれ取り付けられている。なお、この場合も、両衽３１、３６の展示位置がずれても、両磁石６１、６２の吸引作用が及ぶように、少し広めの鉄板６０を使用している。【００１８】  図１は、ミニチュア着物３を１枚展示したものであるが、この考案は、これに限定されるものではなく、例えば、図３のように、大きめの展示用パネル２にミニチュア着物３を複数枚展示しても良い。その際、ミニチュア着物３を少し傾けたり、その周囲に小物を配置したりしても良い。【００１９】  また、以上の実施形態では、展示用パネル２の表裏面から磁石の吸引作用でもってミニチュア着物３を展示用パネル２の表側に吸着させるようにしたが、これに代えて、例えば、面ファスナー（いわゆる、マジックテープ（登録商法））を使用しても良い。また、荷重の掛からない衽３１、３６には、待ち針等を使用しても良い。
面ファスナーを使用する場合は、例えば、竿４の重心位置に面ファスナーの一方を取り付け、展示用パネル２の表側には、面ファスナーの他方を取り付ける。また、ミニチュア着物３の両衽３１、３６の裏側には、面ファスナーの一方を縫い付け、展示用パネル２の表側の対応位置には、面ファスナーの他方を貼り付けて、これらの面ファスナーでミニチュア着物３を展示用パネル２に着脱自在に固定しても良い。
また、荷重の掛からない両衽３１、３６については、この面ファスナーに代えて、それらを待ち針等を使って展示用パネル２に固定しても良い。【００２０】  以上の実施形態では、展示用パネル２の裏面の縁に桟１１を設けたが、必要に応じて縦横に桟を設けても良い。例えば、裏面上部の鉄板５０と磁石５１とが入る窪みのある縦方向の桟を展示用パネル２の裏面に取り付けて、この桟で鉄板５０や磁石５１を隠すようにしても良い。さらには、裏面下部の両サイドに設けられた鉄板６０と磁石６１とが入る窪みのある横方向の桟を展示用パネル２の裏面に取り付けて、それらの鉄板６０や磁石６１を横方向の桟で隠すようにしても良い。
また、厚紙で竿やＴ字状の型紙を作り、これを代用しても良い。
こうして出来上がった着物展示物１は、壁に掛けて展示することもできれば、パネルスタンドに立てかけて展示することもできるが、できれば、見て、触って、鑑賞できるように展示するのが好ましい。
【符号の説明】
【００２１】１    着物展示物
２    展示用パネル
３    ミニチュア着物
４    竿
５    上部取付具
６    下部取付具
【図１】
0003180540.tif 000003
【図２】
0003180540.tif 000004
【図３】
0003180540.tif 000005